(57)【要約】      （修正有）【課題】マッサージ効果を向上させるとともに、押し進め部品が駆動部品の駆動により揺れ動くことを防止できるマッサージ装置およびそのマッサージ構造を提供する。【解決手段】マッサージ構造１００は、中央軸を具備する駆動部品と、駆動部品の中央軸に連結されかつ駆動部品の駆動により回転するエキセントリックと、案内孔３２が形成されている案内部品３０と、押し進め部品とを含む。押し進め部品の一端がエキセントリックに連結されることにより押し進め部品はエキセントリックの駆動により中央軸を回転軸として回転し、押し進め部品の他端が案内孔内に滑動可能に挿入されることにより押し進め部品はエキセントリックの駆動により案内孔の軸方向に沿って往復移動をする。駆動部品は押し進め部品が往復移動するように間欠的に駆動し、人体と接触する押し進め部品の面積が小さいので、人体の局部を選択してマッサージをし、適用範囲を増加させることができる。【選択図】図７
0003234505.tif 000002
【実用新案登録請求の範囲】
【請求項１】
中央軸を具備する駆動部品と、
前記駆動部品の中央軸に連結されかつ前記駆動部品の駆動により回転するエキセントリックと、
案内孔が形成されている案内部品と、
押し進め部品とを含み、
前記押し進め部品の一端が前記エキセントリックに連結されることにより前記押し進め部品は前記エキセントリックの駆動により前記中央軸を回転として回転し、前記押し進め部品の他端が前記案内孔内に滑動可能に挿入されることにより前記押し進め部品は前記エキセントリックの駆動により前記案内孔の軸方向に沿って往復移動をすることを特徴とするマッサージ構造。
【請求項２】
前記押し進め部品は押し進め棒とマッサージ柱体を含み、前記押し進め棒の一端は前記エキセントリックに連結され、前記押し進め棒の他端は前記案内孔内に挿入され、前記マッサージ柱体は前記エキセントリックから離れている前記押し進め棒の一端に連結され、前記マッサージ柱体の最大断面のサイズは前記案内孔のサイズより大きいことを特徴とする請求項１に記載のマッサージ構造。
【請求項３】
前記押し進め棒から離れている前記マッサージ柱体の表面は曲面であり、前記押し進め棒から離れる方向に向いて前記マッサージ柱体の断面のサイズは逓減することを特徴とする請求項２に記載のマッサージ構造。
【請求項４】
前記案内部品には複数の案内孔が形成され、前記押し進め部品は支持板を更に含み、前記支持板は前記エキセントリックから離れている前記押し進め棒の一端に連結され、前記マッサージ柱体の数量は複数個であり、複数個の前記マッサージ柱体は前記押し進め棒から離れている前記支持板の一側に形成されかつ所定の前記案内孔内に挿入されることを特徴とする請求項２に記載のマッサージ構造。
【請求項５】
前記エキセントリック上には第一装着孔が形成され、前記第一装着孔の軸線と前記中央軸の軸線は間隔を空けて配置され、前記マッサージ構造はコネクティング・ロッドと連結部品を含み、前記コネクティング・ロッド上には第二装着孔が形成され、前記連結部品は前記第二装着孔内に挿入されるとともに前記第一装着孔に挿入結合されることにより前記コネクティング・ロッドと前記エキセントリックは回転可能に結合されることを特徴とする請求項１に記載のマッサージ構造。
【請求項６】
前記エキセントリックから離れている前記コネクティング・ロッドの一側には回転連結部が形成され、前記押し進め部品上には連結環状部が形成され、前記回転連結部は前記連結環状部内に回転可能に挿入されることを特徴とする請求項５に記載のマッサージ構造。
【請求項７】
前記マッサージ構造は第一ベアリングと第二ベアリングを含み、前記第一ベアリングは前記回転連結部と前記連結環状部との間に取り付けられ、前記第二ベアリングは前記コネクティング・ロッドと前記連結部品との間に取り付けられることを特徴とする請求項６に記載のマッサージ構造。
【請求項８】
前記案内部品には複数の案内孔が形成され、前記連結部品はランクシャフトであり、前記コネクティング・ロッドの数量は複数個であり、前記複数個の押し進め部品は所定の案内孔内に挿入されるとともに前記ランクシャフトの長手方向に沿って前記ランクシャフトに回転可能に連結されることを特徴とする請求項５に記載のマッサージ構造。
【請求項９】
前記ランクシャフトは複数個のサブランクシャフトを含み、複数個の前記サブランクシャフトは着脱可能に連結されることを特徴とする請求項８に記載のマッサージ構造。
【請求項１０】
内部ケース、シリコンケースおよび請求項１〜９のうちいずれか一項に記載のマッサージ構造を含み、
前記押し進め部品は押し進め棒とマッサージ柱体を含み、前記マッサージ構造は前記内部ケース内に取り付けられ、前記内部ケースには回避孔が形成され、前記押し進め棒は前記回避孔内に挿入されるとともに前記回避孔により前記内部ケースから突出し、前記シリコンケースは前記内部ケースと前記内部ケースから突出する前記押し進め部品の一部分を包むことを特徴とするマッサージ装置。
【考案の詳細な説明】
【技術分野】
【０００１】
この考案は、マッサージ装置の技術分野に属し、具体的に、マッサージ装置およびそのマッサージ構造に関するものである。
【背景技術】
【０００２】
生活のリズムが加速化することにより、仕事による圧力も増加している。一日の仕事をすることにより体が疲れ、だるくて痛くなるおそれがある。疲労と痛みを抑制するため、人々はいろいろなマッサージ装置で体に向くマッサージをする場合が多い。従来のマッサージ装置は振動型マッサージ装置が多い。振動型マッサージ装置はモーターでエキセントリックが回転するように駆動することにより振動を形成し、かつマッサージ装置を使用者の所定の部位に接触させることにより振動型マッサージ装置の振動を使用者の体に伝達し、使用者の全身に対してマッサージをすることことができる。
【０００３】
前記マッサージ装置により使用者の大面積の人体に対してマッサージをすることができるが、使用者の局部（小面積）に対してマッサージをすることができないので、マッサージの効果がよくないという欠点を有している。
【考案の概要】
【考案が解決しようとする課題】
【０００４】
この考案の目的はマッサージ装置およびそのマッサージ構造を提供することにより使用者の局部（小面積）に対してマッサージをすることができない欠点を解決しようとすることにある。
【課題を解決するための手段】
【０００５】
前記技術的問題を解決するためこの考案は次のようなマッサージ構造を提供する。前記マッサージ構造は、中央軸を具備する駆動部品と、前記駆動部品の中央軸に連結されかつ前記駆動部品の駆動により回転するエキセントリックと、案内孔が形成されている案内部品と、押し進め部品とを含む。前記押し進め部品の一端が前記エキセントリックに連結されることにより前記押し進め部品は前記エキセントリックの駆動により前記中央軸を回転として回転し、前記押し進め部品の他端が前記案内孔内に滑動可能に挿入されることにより前記押し進め部品は前記エキセントリックの駆動により前記案内孔の軸方向に沿って往復移動をする。
【０００６】
好ましくは、前記押し進め部品は押し進め棒とマッサージ柱体を含み、前記押し進め棒の一端は前記エキセントリックに連結され、前記押し進め棒の他端は前記案内孔内に挿入され、前記マッサージ柱体は前記エキセントリックから離れている前記押し進め棒の一端に連結され、前記マッサージ柱体の最大断面のサイズは前記案内孔のサイズより大きい。
【０００７】
好ましくは、前記押し進め棒から離れている前記マッサージ柱体の表面は曲面であり、前記押し進め棒から離れる方向に向いて前記マッサージ柱体の断面のサイズは逓減する。
【０００８】
好ましくは、前記案内部品には複数の案内孔が形成され、前記押し進め部品は支持板を更に含み、前記支持板は前記エキセントリックから離れている前記押し進め棒の一端に連結され、前記マッサージ柱体の数量は複数個であり、複数個の前記マッサージ柱体は前記押し進め棒から離れている前記支持板の一側に形成されかつ所定の前記案内孔内に挿入される。
【０００９】
好ましくは、前記エキセントリック上には第一装着孔が形成され、前記第一装着孔の軸線と前記中央軸の軸線は間隔を空けて配置され、前記マッサージ構造はコネクティング・ロッドと連結部品を含み、前記コネクティング・ロッド上には第二装着孔が形成され、前記連結部品は前記第二装着孔内に挿入されるとともに前記第一装着孔に挿入結合されることにより前記コネクティング・ロッドと前記エキセントリックは回転可能に結合される。
【００１０】
好ましくは、前記エキセントリックから離れている前記コネクティング・ロッドの一側には回転連結部が形成され、前記押し進め部品上には連結環状部が形成され、前記回転連結部は前記連結環状部内に回転可能に挿入される。
【００１１】
好ましくは、前記マッサージ構造は第一ベアリングと第二ベアリングを含み、前記第一ベアリングは前記回転連結部と前記連結環状部との間に取り付けられ、前記第二ベアリングは前記コネクティング・ロッドと前記連結部品との間に取り付けられる。
【００１２】
好ましくは、前記案内部品には複数の案内孔が形成され、前記連結部品はランクシャフトであり、前記コネクティング・ロッドの数量は複数個であり、前記複数個の押し進め部品は所定の案内孔内に挿入されるとともに前記ランクシャフトの長手方向に沿って前記ランクシャフトに回転可能に連結される。
【００１３】
好ましくは、前記ランクシャフトは複数個のサブランクシャフトを含み、複数個の前記サブランクシャフトは着脱可能に連結される。
【００１４】
前記技術的問題を解決するためこの考案は次のようなマッサージ装置を更に提供する。前記マッサージ装置は、内部ケース、シリコンケースおよび前記いずれか１つのマッサージ構造を含み、前記マッサージ構造は前記内部ケース内に取り付けられ、前記内部ケースには回避孔が形成され、前記押し進め棒は前記回避孔内に挿入されるとともに前記回避孔により前記内部ケースから突出し、前記シリコンケースは前記内部ケースと前記内部ケースから突出する前記押し進め部品の一部分を包む。
【考案の効果】
【００１５】
従来の技術と比較してみると、この考案の技術的事項により次のような考案の効果を獲得することができる。この考案において、案内孔内には押し進め部品が挿入され、かつ押し進め部品が案内孔の軸方向に沿って往復移動をするように駆動する駆動部品が設けられている。駆動部品は押し進め部品が往復移動をするように間欠的に駆動することができる。人体と接触する押し進め部品の面積が小さいことにより、人体の局部を選択してマッサージをし、適用範囲を増加させ、マッサージの効果を向上させることができる。また、案内部品が設けられることにより押し進め部品の移動をより正確にし、押し進め部品が駆動部品の駆動により揺れ動くことを防止することができる。
【図面の簡単な説明】
【００１６】
【図１】この考案の実施例に係るマッサージ構造の構造を示す斜視図である。
【図２】図１中のマッサージ構造の構造を示す断面図である。
【図３】図１中の押し進め部品の構造を示す斜視図である。
【図４】この考案の他の実施例に係る押し進め部品の構造を示す斜視図である。
【図５】この考案の他の実施例に係るマッサージ構造の構造を示す斜視図である。
【図６】この考案の他の実施例に係るマッサージ構造の構造を示す断面図である。
【図７】この考案の他の実施例に係るマッサージ装置の局部構造を示す断面図である。
【考案を実施するための形態】
【００１７】
以下、この考案の実施例中の図面によりこの考案の実施例に係る技術的事項を詳細に、完璧に説明する。注意されたいことは、下記実施例は、この考案の一部分の例示にしか過ぎないものであり、すべての実施例を示すものでない。この考案の実施例を参照する場合、この技術分野の技術者は創造的な考案をしなくても他の実施例を想到することができ、そのような実施例があってもこの考案の実用新案登録請求の範囲に含まれることは勿論である。
【００１８】
図１と図２を参照すると、図１はこの考案のマッサージ構造１００の構造を示す斜視図であり、図２のマッサージ構造１００の構造を示す断面図である。この考案の実施例においてマッサージ構造１００を提供する。そのマッサージ構造１００は、駆動部品１０、エキセントリック（Eccentric）２０、案内部品３０および押し進め部品４０を含む。駆動部品１０は中央軸１２を具備し、エキセントリック２０は駆動部品１０の中央軸１２に連結されかつ駆動部品１０の駆動により回転し、案内部品３０には案内孔３２が形成されている。押し進め部品４０の一端がエキセントリック２０に連結されることにより、押し進め部品４０はエキセントリック２０の駆動により回転することができる。押し進め部品４０の他端が案内孔３２内に滑動可能に挿入されることにより、押し進め部品４０はエキセントリック２０の駆動により軸方向の往復移動をすることができる。
【００１９】
この考案の実施例において、案内孔３２内には押し進め部品４０が挿入され、かつ押し進め部品４０が案内孔３２の軸方向に沿って往復移動をするように駆動する駆動部品１０が設けられている。駆動部品１０は押し進め部品４０が往復移動をするように間欠的に駆動することができる。人体と接触する押し進め部品４０の面積が小さいことにより、人体の局部を選択してマッサージをし、適用範囲を増加させ、マッサージの効果を向上させることができる。また、案内部品３０が設けられることにより押し進め部品４０の移動をより正確にし、押し進め部品４０が駆動部品１０の駆動により揺れ動くことを防止することができる。
【００２０】
駆動部品１０としてモーター等のような回転駆動手段を用いることができる。その場合、中央軸１２はモーターの回転軸であることができる。エキセントリック２０は駆動部品１０の中央軸１２に連結されかつ駆動部品１０の駆動により回転することができる。押し進め部品４０の一端はエキセントリック２０に回転可能に連結され、押し進め部品４０とエキセントリック２０との間の連結個所と中央軸１２は間隔を空けて配置されるので、押し進め部品４０は駆動部品１０の駆動により中央軸１２を回転軸として回転し、かつ押し進め部品４０の他端が案内孔３２の軸方向に移動するように駆動することができる。
【００２１】
図２に示すとおり、押し進め部品４０は押し進め棒４２とマッサージ柱体４４を含み、押し進め棒４２の一端はエキセントリック２０に連結され、押し進め棒４２の他端は案内孔３２内に挿入される。マッサージ柱体４４はエキセントリック２０から離れている押し進め棒４２の一端に連結され、マッサージ柱体４４の最大断面のサイズは案内孔３２のサイズより大きい。
【００２２】
具体的に、マッサージ柱体４４の最大断面のサイズは押し進め棒４２の軸方向の垂直方向に沿うマッサージ柱体４４の断面の外接円（circumcircle）の直径を指し、案内孔３２のサイズは案内孔３２の外接円の直径を指す。マッサージ柱体４４の最大断面のサイズが案内孔３２のサイズより大きいことにより、押し進め部品４０の他端が駆動部品１０の駆動により案内孔３２から離脱して破損されることを防止することができる。
【００２３】
案内孔３２の形状が円形であるとき、押し進め棒４２の形状を案内孔３２の形状に対応する円柱形に形成し、案内孔３２の直径と押し進め棒４２の直径を同一にすることができる。それにより、押し進め棒４２と案内孔３２の結合をより緊密にし、押し進め棒４２が案内孔３２内で揺れ動くことを防止することができる。
【００２４】
図２と図３を参照すると、図３は図１の押し進め部品４０の構造を示す斜視図である。押し進め棒４２から離れているマッサージ柱体４４の表面は曲面であり、押し進め棒４２から離れる方向に向いてマッサージ柱体４４の断面のサイズは逓減する。それによりキノコ頭部の形状に形成されるマッサージ柱体４４を獲得し、そのマッサージ柱体４４によりマッサージの効果を向上させることができる。他の実施例において、マッサージ柱体４４を半球形状等に形成することもできる。
【００２５】
案内部品３０上に複数の案内孔３２を形成することができる。図４を参照すると、図４はこの考案の他の実施例に係る押し進め部品４０の構造を示す斜視図である。押し進め部品４０は支持板４６を更に含み、支持板４６はエキセントリック２０から離れている押し進め棒４２の一端に連結される。マッサージ柱体４４の数量は複数個であり、複数個のマッサージ柱体４４は押し進め棒４２から離れている支持板４６の一側に形成されかつ所定の案内孔３２内に挿入されることができる。駆動部品１０の駆動により押し進め棒４２が往復移動をするとき、支持板４６上に形成されているマッサージ柱体４４によりマッサージをすることができるので、マッサージの効果を向上させることができる。
【００２６】
支持板４６上に形成されている複数個のマッサージ柱体４４において、支持板４６から突出している複数個のマッサージ柱体４４の高さは一致するか或いは異なることができる。軸方向の垂直方向に沿う各マッサージ柱体４４の断面の面積は一致するか或いは異なることができる。
【００２７】
図２と図３に示すとおり、エキセントリック２０上には第一装着孔２２が形成され、第一装着孔２２の軸線と中央軸１２の軸線は間隔を空けて配置されている。マッサージ構造１００はコネクティング・ロッド（connecting  rod）５０と連結部品６０を含み、コネクティング・ロッド５０上には第二装着孔５２が形成され、連結部品６０は第二装着孔５２内に挿入されるとともに第一装着孔２２に挿入結合される。それによりコネクティング・ロッド５０とエキセントリック２０は回転可能に結合される。エキセントリック２０が中央軸１２の駆動により自転するとき、第一装着孔２２に結合されるコネクティング・ロッド５０が中央軸１２を回転軸として回転するように駆動する。押し進め棒４２とエキセントリック２０はコネクティング・ロッド５０により連結されることにより、エキセントリック２０の回転を押し進め棒４２の直線移動に変換させ、かつ押し進め棒４２とエキセントリック２０のトーションを低減し、押し進め棒４２の移動をより安定にすることができる。
【００２８】
図１と図２に示すとおり、エキセントリック２０から離れているコネクティング・ロッド５０の一側には回転連結部５４が形成され、押し進め部品４０上には連結環状部４８が形成され、回転連結部５４は連結環状部４８内に回転可能に挿入される。
【００２９】
具体的に、連結環状部４８はマッサージ柱体４４から離れている押し進め棒４２の一端に形成され、回転連結部５４は連結環状部４８に回転可能に結合されることができる。それによりコネクティング・ロッド５０と押し進め部品４０を連結させる構造を簡単にすることができる。
【００３０】
連結部品６０はコネクティング・ロッド５０上の第一装着孔２２に直接挿入される場合、コネクティング・ロッド５０が連結部品６０に相対して回転することにより大きい摩擦力が生じるおそれがある。その場合、コネクティング・ロッド５０と連結部品６０が破損されることによりマッサージ構造１００が破損され、動力の損失が発生することにより駆動部品１０の駆動効率が低下するおそれがある。連結環状部４８と回転連結部５４は挿入方法により連結される場合、連結環状部４８が回転連結部５４に相対して回転することにより大きい摩擦力が生じるおそれがある。その場合、コネクティング・ロッド５０と押し進め棒４２が破損されることによりマッサージ構造１００が破損され、動力の損失が発生することにより駆動部品１０の駆動効率が低下するおそれがある。
【００３１】
本実施例において、マッサージ構造１００は第一ベアリングと第二ベアリングを含み、第一ベアリングは回転連結部５４と連結環状部４８との間に取り付けられ、第二ベアリングはコネクティング・ロッド５０と連結部品６０との間に取り付けられる。回転連結部５４と連結環状部４８との間に第一ベアリングが取り付けられることにより、回転連結部５４が連結環状部４８に相対して回転することを安定にし、回転連結部５４と連結環状部４８との間の摩擦力を低減することができる。コネクティング・ロッド５０と連結部品６０との間に第二ベアリングが取り付けられることにより、コネクティング・ロッド５０が連結部品６０に相対して回転することを安定にし、コネクティング・ロッド５０と連結部品６０との間の摩擦力を低減することができる。
【００３２】
図５を参照すると、図５はこの考案の他の実施例に係るマッサージ構造２００の構造を示す斜視図である。本実施例のマッサージ構造２００の構造と前記実施例のマッサージ構造２００の構造は似ており、相違点は、連結部品６０はランクシャフト（crankshaft）であり、コネクティング・ロッド５０の数量は複数個であり、複数個の押し進め部品４０は所定の案内孔３２内に挿入されるとともにランクシャフトの長手方向に沿ってランクシャフトに回転可能に連結されることにある。駆動部品１０によりランクシャフトが回転するように駆動するとき、ランクシャフトは複数個のコネクティング・ロッド５０とコネクティング・ロッド５０に連結される押し進め部品４０が上下に移動するように駆動し、かつマッサージ柱体４４が案内部品３０に相対して往復移動をするように駆動する。複数個のマッサージ柱体４４はそれぞれ上下に移動する（すなわち同時に移動しない）ことにより、マッサージの効果を向上させ、マッサージ柱体４４のマッサージの効率を向上させることができる。
【００３３】
本実施例のコネクティング・ロッド５０は一定の柔軟性を有している材料で製造されることができる。その場合、コネクティング・ロッド５０の両端は挿入結合方法によりランクシャフトと押し進め部品４０に結合されることができる。それによりコネクティング・ロッド５０を製造する難易度を低減し、マッサージ構造２００を組み立てる効率を向上させることができる。
【００３４】
他の実施例において、コネクティング・ロッド５０は剛性の材料で製造され、ランクシャフトは複数個のサブランクシャフトで構成されることもできる。複数個のサブランクシャフトは着脱可能に連結されることができる。例えば複数個のサブランクシャフトはネジ結合手段により一体に連結されることができる。コネクティング・ロッド５０とランクシャフトを連結させるとき、１個のコネクティング・ロッド５０を１個のサブランクシャフトに取り付けた後、複数個のサブランクシャフトを一体に連結させることができる。
【００３５】
図６を参照すると、図６はこの考案の他の実施例に係るマッサージ構造１００の構造を示す断面図である。本実施例のマッサージ構造１００の構造と前記実施例のマッサージ構造１００の構造は似ており、相違点は本実施例のエキセントリック２０と押し進め部品４０の連結構造が異なることにある。
【００３６】
具体的に、本実施例において、中央軸１２から離れているエキセントリック２０の一側には回転棒２１が形成され、回転棒２１の軸方向と中央軸１２の軸方向は平行に配置される。連結環状部４８は回転棒２１上に取り付けられかつ回転棒２１に相対して回転することができる。エキセントリック２０は中央軸１２を回転軸として回転するとき、回転棒２１が中央軸１２を回転軸として回転するように駆動することができる。その場合、押し進め棒４２は案内孔３２の案内により案内孔３２の軸方向にのみ移動することができる。
【００３７】
連結環状部４８と回転棒２１との間の摩擦力を低減するため、連結環状部４８と回転棒２１との間に回転ベアリングを取り付けることができる。その場合、回転棒２１が連結環状部４８に相対して回転する安定性を向上させ、連結環状部４８と回転棒２１との間の摩擦力を低減することができる。
【００３８】
以上、この考案の実施例に係るマッサージ構造１００を説明してきた。以下、この考案の実施例に係るマッサージ装置００を更に提供する。図７を参照すると、図７はこの考案の実施例に係るマッサージ装置００の局部構造を示す断面図である。マッサージ装置００は、内部ケース３００、シリコンケース４００およびマッサージ構造１００を含む。マッサージ構造１００は内部ケース３００内に取り付けられ、内部ケース３００には回避孔（Avoidance  hole）３２０が形成されている。押し進め棒４２は回避孔３２０内に挿入されるとともに回避孔３２０により内部ケース３００から突出することができる。シリコンケース４００は内部ケース３００と内部ケース３００から突出する押し進め部品４０の一部分を包む。
【００３９】
具体的に、内部ケース３００の内部には収納空間３１０が形成され、内部ケース３００の表面には収納空間３１０と連通状態に形成されている回避孔３２０が形成されている。マッサージ構造１００は収納空間３１０内に取り付けられ、案内部品３０は内部ケース３００の内壁に固定され、案内部品３０上の案内孔３２は内部ケース３００の回避孔３２０と対向する。押し進め棒４２は案内孔３２と回避孔３２０内に滑動可能に挿入され、マッサージ柱体４４は内部ケース３００の外部に位置する。駆動部品１０により押し進め棒４２が往復移動をするように駆動するとき、マッサージ柱体４４は内部ケース３００の表面に近づくか或いは離れる方向に移動することができる。シリコンケース４００は内部ケース３００とマッサージ柱体４４を包むことにより内部ケース３００とマッサージ構造１００を密閉させ、かつマッサージ装置００の表面を柔らかくすることにより皮膚親和性（Skin  affinity）を向上させることができる。マッサージ柱体４４が内部ケース３００の表面から離れる方向に移動するとき、マッサージ柱体４４はシリコンケース４００を押すことにより突出するので、人体に対してマッサーをすることができる。その後、シリコンケース４００は自身の弾力により内部ケース３００の表面と接触する状態に戻ることができる。キノコ頭部の形状に形成されているマッサージ柱体４４が取り付けられることによりマッサージ柱体４４とシリコンケース４００との間の接触面積を増加させ、シリコンケース４００がマッサージ柱体４４に押し出される面積が増加するので、マッサージの効果を向上させることができる。
【００４０】
図７に示すとおり、マッサージ装置００は振動モーター５００を更に含み、振動モーター５００は内部ケース３００内に取り付けられ、振動モーター５００は内部ケース３００に振動を間欠的に伝達することにより内部ケース３００が振動するように駆動し、それにより人体に対してマッサージをすることができる。この考案の実施例に係るマッサージ装置００は大面積の区域に対してマッサージをする振動モーター５００と小面積の区域に対してマッサージをするマッサージ柱体４４とを設けることにより使用者の体験とマッサージの効果を更に向上させることができる。
【００４１】
以上、この考案の実施例を詳述してきたが、前記実施例はこの考案の例示にしか過ぎないものであるため、この考案は前記実施例の構成にのみ限定されるものでない。この技術分野の技術者はこの考案の要旨を逸脱しない範囲内において設計の変更、改良等をすることができ、それらがあってもこの考案に含まれることは勿論である。
【図１】
0003234505.tif 000003
【図２】
0003234505.tif 000004
【図３】
0003234505.tif 000005
【図４】
0003234505.tif 000006
【図５】
0003234505.tif 000007
【図６】
0003234505.tif 000008
【図７】
0003234505.tif 000009